(57)【要約】【課題】電気集塵機ユニットの薄形化および脱臭フィルターの圧力損失の低下ならびに整流効果による低騒音化を図れる空気清浄機を得ることを目的とする。【解決手段】空気流路３に直交して設けた高圧針状部７の風下側に設けたアース接続部９と、アース接続部９にフィルター濾材１０を重ね合わせてつづれ折りした集塵部１１を設けた電気集塵ユニット１２および、複数の悪臭成分を除去する除去成分によりハニカム状に形成した脱臭フィルター１３を配置したことにより、集塵性能を長期間安定して使用できるとともに低騒音化が図れる空気清浄機が得られる。【選択図】　図１
2004041954.tif 000002
【特許請求の範囲】
【請求項１】
吸気口と吹出口間に空気流路を形成した本体と、この空気流路に設けられる空気清浄手段と送風手段を有し、前記空気清浄手段は上流からプレフィルター、放電部、集塵部および脱臭フィルターの順に設け、前記放電部は針先から微少電流を放出する前記空気流路に直交する高圧針状部で形成され、前記集塵部はアース接続部にフィルター濾材を重ね合わせてつづれ折りした形状となし、前記脱臭フィルターは複数の悪臭成分を除去する除去成分によりハニカム状に成形してなる空気清浄機。
【請求項２】
吸気口と吹出口間に空気流路を形成した本体と、この空気流路に設けられる空気清浄手段と送風手段を有し、前記空気清浄手段は放電部と集塵部を備え、前記放電部は針先から微少電流を放出する高圧針状部で形成され、前記集塵部はアース接続部にフィルター濾材を重ね合わせてつづれ折りした形状となし、前記高圧針状部の風下側となる前記集塵部の前面に補助フィルターを配設してなる空気清浄機。
【請求項３】
空気清浄手段に対向して設けられる送風手段のファン吸気口と、このファン吸気口と前記空気清浄手段との間隔を２０ｍｍ以上に形成した請求項１または２記載の空気清浄機。
【請求項４】
送風手段は複数のファン吹出口を有する遠心送風機とした請求項１または２記載の空気清浄機。
【請求項５】
送風手段を構成する遠心送風機のファン吹出口を本体の左右の側面に設けた請求項４記載の空気清浄機。
【請求項６】
遠心送風機のケーシングの一部となる円弧状部分を形成する多孔板と、この多孔板を保持するように本体に設けたリブとを備え、前記本体の角部の内側と前記多孔板との間に空間部を形成した請求項４または５記載の空気清浄機。
【請求項７】
補助フィルターに抗菌成分を含浸させた構成とした請求項２記載の空気清浄機。
【発明の詳細な説明】
【０００１】
【発明の属する技術分野】
本発明は、空気中の塵埃や臭気を除去するのに使用される電気集塵部を設けた空気清浄機に関する。
【０００２】
【従来の技術】
従来、この種の空気清浄機の一例として特開平９−１５００７５号公報に記載されたものが知られている。以下、その空気清浄機について図１１および図１２を参照しながら説明する。
【０００３】
図に示すように空気清浄機の本体（図示せず）内にはプレフィルター１０８、電気集塵部１０９、メインフィルター１１０および脱臭用の活性炭フィルター１１１を配列し、下流側にファン１１２を設けている。
【０００４】
電気集塵部１０９はアイオナイザー部１０３と集塵部１０４からなり、アイオナイザー部１０３はイオンを発生させるために放電電極１０１と両側に対向して配置された対向電極１０２を有している。
【０００５】
集塵部１０４はイオンまたはイオン化された塵をクーロン引力により引き付けて集塵を行う。アイオナイザー部１０３と集塵部１０４の間に配置されたフロート電極１０６は、集塵部１０４の高電圧側の電極１０５に電圧を付与されている。放電電極１０１は、各対向電極１０２に向けて設けられた突起電極部１０７ａ、１０７ｂと、フロート電極１０６に向けて設けられた突起電極部１０７ｃとを備えている。
【０００６】
【発明が解決しようとする課題】
このような従来の空気清浄機では、放電電極１０１は３方向の突起電極部１０７ａ、１０７ｂ、１０７ｃを備えた複雑な形状を有しており、また突起電極部１０７ａ、１０７ｂから対向電極１０２に向けて高圧放電されるため、突起電極部１０７ａ、１０７ｂの先端が徐々に消耗して放電効率が悪くなり、長期間安定した集塵性能を維持できず、また突起電極部１０７ｃがフロート電極１０６に対向しているため、安定した放電を行うためには空間距離を保つ必要があり、電気集塵部１０９の厚み寸法を縮めることができず、すなわち電気集塵部１０９の構造が複雑で厚みが大きくなるとともに集塵性能を維持できないという課題があり電気集塵部を簡易な構成として薄形に形成するとともに、集塵効率を高めて長期間性能を維持できることが要求されている。
【０００７】
また、電気集塵部１０９の後方に活性炭フィルター１１１を配した構成では、圧力損が大きく騒音も高くなり空気清浄機の性能も低下するという課題があり、圧力損失が少ない低騒音の空気清浄機が要求されている。
【０００８】
本発明は、このような従来の課題を解決するもので、電気集塵部を薄形に形成することができ、また、圧力損失が少なく低騒音化を図ることができ、また集塵効率を高め集塵性能を長期間維持することのできる空気清浄機を提供することを目的としている。
【０００９】
【課題を解決するための手段】
本発明の空気清浄機は上記目的を達成するために、吸気口と吹出口間に空気流路を形成した本体と、この空気流路に設けられる空気清浄手段と送風手段を有し、前記空気清浄手段は上流からプレフィルター、放電部、電気集塵ユニットおよび脱臭フィルターの順に設け、前記放電部は針先から微少電流を放出する前記空気流路に直交した高圧針状部で形成され、前記電気集塵ユニットはアース接続部にフィルター濾材を重ね合わせてつづれ折りした集塵部からなり、前記脱臭フィルターは複数の悪臭成分を除去する除去成分によりハニカム状に成形したものである。
【００１０】
本発明によれば、放電部の耐久性が向上して集塵効率を長期間維持でき、また空気清浄手段の圧力損失が少ない騒音を低減した空気清浄機が得られる。
【００１１】
また他の手段は、吸気口と吹出口間に空気流路を形成した本体と、この空気流路に設けられる空気清浄手段と送風手段を有し、前記空気清浄手段は放電部と集塵部を備え、前記放電部は針先から微少電流を放出する高圧針状部で形成され、前記電気集塵ユニットはアース接続部にフィルター濾材を重ね合わせてつづれ折りしたフィルター構成を有し、前記高圧針状部の風下側となる前記集塵部の前面に補助フィルターを配設したものである。
【００１２】
そして本発明によれば、放電部と集塵部を薄形に形成できるとともに、集塵効率を高めることのできる空気清浄機が得られる。
【００１３】
【発明の実施の形態】
本発明は吸気口と吹出口間に空気流路を形成した本体と、この空気流路に設けられる空気清浄手段と送風手段を有し、前記空気清浄手段は上流からプレフィルター、放電部、電気集塵ユニットおよび脱臭フィルターの順に設け、前記放電部は針先から微少電流を放出する前記空気流路に直交した高圧針状部で形成され、前記電気集塵ユニットはアース接続部にフィルター濾材を重ね合わせてつづれ折りした集塵部からなり、前記脱臭フィルターは複数の悪臭成分を除去する除去成分によりハニカム状に成形したものであり、高圧針状部から微少電流をアース接続部に放出することにより、高圧針状部の針先が劣化し難いので安定して放電性能を発揮し、集塵効率を長く維持できるとともに、高圧針状部からなる放電部と、アース接続部およびフィルター濾材をつづれ折りした集塵部と、ハニカム形状の脱臭フィルターとの圧力損失の少ない部品の組み合せにより、低騒音化が図れるという作用を有する。
【００１４】
また、吸気口と吹出口間に空気流路を形成した本体と、この空気流路に設けられる空気清浄手段と送風手段を有し、前記空気清浄手段は放電部と電気集塵ユニットを備え、前記放電部は針先から微少電流を放出する高圧針状部で形成され、前記電気集塵ユニットはアース接続部にフィルター濾材を重ね合わせてつづれ折りした集塵部からなり、前記高圧針状部の風下側となる前記集塵部の前面に補助フィルターを配設したものであり、補助フィルターに高圧針状部から負イオンが供給されマイナス帯電して低圧の電極が形成され、高圧針状部と集塵部の距離を近づけても異常放電の生じない安定した電場を保つことができるので薄型化することができるとともに、補助フィルターが電界内にあることで、補助フィルターの濾材単位で分極が起こり、クーロン力により補助フィルターの表面にプラス帯電の粉塵が、裏面にマイナス帯電の粉塵が付着し易くなるという作用を有する。
【００１５】
以下、本発明の実施例について図面を参照しながら説明する。
【００１６】
【実施例】
（実施例１）
図１〜図６に示すように、本体４の吸込口１と吹出口２間に空気流路３を形成し、本体４内の空気流路３にプレフィルター５を設け、後流側に空気流路３に直交してマイナス高圧電極６が接続される高圧針状部７からなる放電部８と、高圧針状部７の風下側に設けられるアース接続部９とフィルター濾材１０を重ね合わせつづれ折りした集塵部１１とを合わせて電気集塵ユニット１２を形成する。電気集塵ユニット１２の風下側には煙草等の一般臭気を脱臭する活性炭およびアンモニア等の臭気を脱臭する酸化チタン等を個別に配合して複数の悪臭成分を除去する除去成分によりハニカム状に形成した脱臭フィルター１３を設ける。プリフィルター５、電気集塵ユニット１２および脱臭フィルター１３により空気清浄手段１４を形成し、この空気清浄手段１４の風下側には複数のファン吹出口１５を設けた遠心送風機１６により形成した送風手段１７を設け、空気清浄手段１４に対向して設けられる送風手段１７のファン吸気口１８と空気清浄手段１４との間隔Ｗを２０ｍｍ以上、好ましくは３０ｍｍ以上に設けた構成とする。
【００１７】
そして、送風手段１７を形成する遠心送風機１６のファン吹出口１５を本体４の左右の側面に形成される吹出口２と連通して設け、遠心送風機１６のケーシング１９の一部となる円弧状部分にＰＰ板に微細孔加工を施した多孔板２０を嵌入する。本体４には遠心送風機１６の多孔板２０の左右が嵌合し維持して保持されるリブ２１を設け、本体４の角部２２の内側には多孔板２０の背面側に空間部２３が形成される。
【００１８】
上記構成において、空気清浄機を運転すると送風手段１６により吸気口１より吸気された粉塵や臭気を含む空気はプレフィルター５を通って大きな粉塵が除去され、マイナスの高圧電極６に接続され約５ｋＶ電圧を加えられた高圧針状部７からアース接続部９に向けて放電針１本当り１μＡ以下の微少電流（＝マイナスイオン）が放出され、このマイナスイオンの付着による微細な粉塵の帯電が行われ、風下側の集塵部１１に設けたアース接続部９に粉塵は引き寄せられ、アース接続部９にフィルター濾材１０をつづれ折りした集塵部１１に集塵され、さらに風下側に設けたハニカム形状の脱臭フィルター１３で脱臭される。このとき脱臭フィルター１３は活性炭と酸化チタンの２種類の成分を個別にハニカム状に形成していることにより、煙草等の一般の臭気は活性炭で除去され、アンモニア臭は酸化チタンにより除去されることとなる。
【００１９】
このように本発明の実施例１の空気清浄機によれば、放電部８の高圧針状部７から微少電流を流してマイナスイオンを放出しているので、これに比べて電流値大なるコロナ放電を生じることはなく、高圧針状部７の針先の劣化が少なくなり、長期間安定して放電を行い集塵効率を維持することができるとともに、圧力損失の少ない放電部８、電気集塵ユニット１２および脱臭フィルター１３の組合せにより、全体の圧力損失を低減することができ、加えてハニカム形状の脱臭フィルター１３によるフィルター自体の整流化作用もあることから、フィルターに起因する騒音発生の要因を取り除き、空気清浄機の本体４内で発生する騒音を効果的に低減することができる。
【００２０】
また、空気清浄手段１４に対向して設けられる送風手段１７のファン吸気口１８と、ファン吸気口１８と空気清浄手段１４の間隔Ｗを２０ｍｍ以上、好ましくは３０ｍｍ以上に形成したので、本体４内での整流化が促進され、騒音を低減できることができる。
【００２１】
これは図５に示す測定データからも実証できるもので、間隔Ｗが２０ｍｍ以上で明らかな効果があり、間隔Ｗが３０ｍｍでは顕著な効果が得られる。
【００２２】
また、送風手段１７を複数のファン吹出口１５を設けた遠心送風機１６により形成したので、ファン吹出口１５の風速を下げ、吹出口２より発生する騒音の低減を図ることができるとともに、冬季に使用したときには寒さを感じるドラフト感を少なくできる。
【００２３】
また、送風手段１７を構成する遠心送風機１６のファン吹出口１５を本体４の左右の側面に設けたので、従来の上吹出に比べて、本体４の左右に生じていた室内のよどみ領域を解消し、さらに吹出口２の２方向から吹き出して室内を循環するサーキュレーション効果により居住空間の清浄化を効率良く行うことができる。
【００２４】
また、遠心送風機１６のケーシング１９の一部となる円弧状部分を形成する多孔板２０と、この多孔板２０を保持するように本体４に設けたリブ２１とを備え、本体４の角部２２の内側と多孔板２０との間に空間部２３を形成したので、遠心送風機１６の騒音が多孔板２０と空間部２３により緩和され低騒音化が図れるとともに、多孔板２０を必要箇所のみに使用することにより材料削減も可能となる。また、リブ２１に沿うように多孔板２０を挿入してケーシング１９の円弧面形状を維持することにより、送風性能を保持することができる。
【００２５】
（実施例２）
図７〜図９に示すように、本体４Ａの吸気口１Ａと吹出口２Ａ間に空気流路３Ａを形成し、本体４Ａの空気流路３Ａにプリフィルター５Ａを設ける。さらに空気流路３Ａと直交して設けた放電部８Ａをなす高圧針状部７Ａと、高圧針状部７Ａの風下側にアース接続部９Ａおよびフィルター濾材１０Ａを重ね合わせてつづれ折りした集塵部１１Ａとを設け、電気集塵ユニット１２Ａを形成する。電気集塵ユニット１２Ａの風下には脱臭フィルター１３Ａを設ける。
【００２６】
空気清浄手段１４Ａはプリフィルター５Ａ、電気集塵ユニット１２Ａおよび脱臭フィルター１３Ａからなる。
【００２７】
また電気集塵ユニット１２Ａは集塵部１１Ａの前面に不織布よりなる補助フィルター２５を配設し構成する。
【００２８】
上記構成において、空気清浄機を運転すると、送風手段１７Ａにより吸気口１Ａより吸気された粉塵や臭気を含む空気はプレフィルター５Ａを通って大きな粉塵が除去される。高圧針状部７Ａからはマイナスイオンが放出されイオン化放電により、風下側の補助フィルター２５の表面にマイナスイオンが供給され、補助フィルター２５の表面がマイナスに帯電し、裏面がプラスに帯電して集塵作用を行う。
【００２９】
さらに風下側のアース接続部９Ａにフィルター濾材１０Ａつづれ折りした集塵部１１Ａにて集塵され、下流側に設けた脱臭フィルター１３Ａで脱臭されることとなる。
【００３０】
このように本発明の実施例２の空気清浄機によれば、微少電流を放出する高圧針状部７Ａの風下側となる集塵部１１Ａの前面に補助フィルター２５を配設したので、補助フィルター２５に高圧針状部７Ａからマイナスイオンが供給されてマイナスに帯電して低圧の電極が形成され、高圧針状部７Ａと集塵部１１Ａの距離を近づけても異常放電の生じない安定した電場を保つことができ、電気集塵ユニット１２Ａを小型にすることができる。
【００３１】
また補助フィルター２５が電界内にあることで、補助フィルター２４の濾材単位で分極が起こり、クーロン力により補助フィルター２４の表面にプラス帯電粉塵が、裏面にマイナス帯電粉塵が付着しやすくなり集塵効率が高められることとなる。
【００３２】
（実施例３）
図１０に示すように、補助フィルター２５Ａに抗菌成分を含浸させるもので、抗菌成分の一例としてイオン交換水に添加剤として酵素を加え混合撹拌し、次にＡｇ−アパタイトの溶接を抗菌剤として加え、混合撹拌し、さらにバインダーを加えて混合撹拌し抗菌加工用ディップ液を造り、この抗菌加工用ディップ液を抗菌成分として補助フィルター２５Ａに含浸させて構成する。
【００３３】
上記構成において、空気中に含まれている大腸菌等による細菌は、帯電した補助フィルター２５Ａにより粉塵とともに効率良く捕捉され、抗菌剤と静電気の相乗効果により強力に殺傷され除菌されることとなる。
【００３４】
このように本発明の実施例３の空気清浄機によれば、補助フィルター２５Ａを抗菌成分を含浸させて構成したので、補助フィルター２５Ａの表面に付着した粉塵に含まれる細菌を抗菌剤と静電気の相乗効果で殺傷し、再飛散して集塵部１１Ａに付着しても繁殖力はなく、安全に使用することができる。
【００３５】
【発明の効果】
以上の実施例から明らかなように、本発明によれば吸気口と吹出口間に空気流路を形成した本体と、この空気流路に設けられる空気清浄手段と送風手段を有し、前記空気清浄手段は上流からプレフィルター、放電部、電気集塵ユニットおよび脱臭フィルターの順に設け、前記放電部は針先から微少電流を放出する前記空気流路に直交した高圧針状部で形成され、前記電気集塵ユニットはアース接続部にフィルター濾材を重ね合わせてつづれ折りした集塵部からなり、前記脱臭フィルターは複数の悪臭成分を除去する除去成分によりハニカム状に成形したので、高圧針状部の針先の劣化が少なく、長期間安定して放電を行い集塵効率を維持することができるとともに、圧力損失の少ない放電部、集塵部および脱臭フィルターの組合せと、ハニカム形状脱臭フィルターの整流化作用により、空気清浄手段を通る気流を円滑に流通させて騒音を低減する効果のある空気清浄機を提供できる。
【００３６】
また、吸気口と吹出口間に空気流路を形成した本体と、この空気流路に設けられる空気清浄手段と送風手段を有し、前記空気清浄手段は放電部と電気集塵ユニットを備え、前記放電部は針先から微少電流を放出する高圧針状部で形成され、前記電気集塵ユニットはアース接続部にフィルター濾材を重ね合わせてつづれ折りした集塵部からなり、前記高圧針状部の風下側となる前記集塵部の前面に補助フィルターを配設したので、高圧針状部と集塵部の距離を近づけても異常放電の生じない安定した電場を保つことができるので高圧針状部と集塵部を薄型化することができ、また補助フィルターが電界内にあることで、補助フィルターの濾材単位で分極が起こり、クーロン力により補助フィルターの表面にプラス帯電粉塵が、裏面にマイナス帯電粉塵が付着しやすくなり、粉塵効率が高まる。
【００３７】
また、空気清浄手段に対向して設けられる送風手段のファン吸気口と、このファン吸気口と前記空気清浄手段との間隔を２０ｍｍ以上に形成したので、本体内で整流化が図られ、騒音を低減することができる。
【００３８】
また、送風手段を複数のファン吹出口を設けた遠心送風機により形成したので、騒音を低減することができ、また、ドラフト感を少なくすることができる。
【００３９】
また、送風手段を構成する遠心送風機のファン吹出口を本体の左右の側面に設けたので、本体の左右に生じていた室内のよどみ領域を解消し、さらに２方向の吹出口からのサーキュレーション効果により居住空間の清浄化を効率良く行うことができる。
【００４０】
また、遠心送風機のケーシングの一部となる円弧状部分を形成する多孔板と、この多孔板を保持するように本体に設けたリブとを備え、前記本体の角部の内側と前記多孔板との間に空間部を形成したので、低騒音化と材料削減および送風性能の維持を図ることができる。
【００４１】
また、補助フィルターに抗菌成分を含浸させたので、抗菌成分と静電気の相乗効果で細菌を殺傷し、繁殖力が抑制されることにより安全性が高められる。
【図面の簡単な説明】
【図１】（イ）本発明の実施例１の空気清浄機の空気清浄手段の構成を示す概略断面図
（ロ）同放電部と集塵部の概略斜視図
【図２】同空気清浄機の斜視図
【図３】同空気清浄機の分解斜視図
【図４】同空気清浄機の断面図
【図５】同ファン吸込口と空気清浄手段の間隔Ｗと騒音値の関係を示す特性図
【図６】同空気清浄機の送風手段の構成を示す断面図
【図７】本発明の実施例２の空気清浄機の空気清浄手段の構成を示す概略図
【図８】同空気清浄機の斜視図
【図９】同空気清浄機の分解斜視図
【図１０】本発明の実施例３の空気清浄機の空気清浄手段の構成を示す概略図
【図１１】従来の空気清浄機の電気集塵部を示す分解斜視図
【図１２】同空気清浄機の構成を示す概略図
【符号の説明】
１　　　吸気口
１Ａ　　吸気口
２　　　吹出口
２Ａ　　吹出口
３　　　空気流路
３Ａ　　空気流路
４　　　本体
４Ａ　　本体
５　　　プレフィルター
５Ａ　　プレフィルター
７　　　高圧針状部
７Ａ　　高圧針状部
８　　　放電部
８Ａ　　放電部
９　　　アース接続部
９Ａ　　アース接続部
１０　　フィルター濾材
１０Ａ　フィルター濾材
１１　　集塵部
１１Ａ　集塵部
１３　　脱臭フィルター
１３Ａ　脱臭フィルター
１４　　空気清浄手段
１４Ａ　空気清浄手段
１５　　ファン吹出口
１６　　遠心送風機
１７　　送風手段
１７Ａ　送風手段
１８　　ファン吸気口
１９　　ケーシング
２０　　多孔板
２１　　リブ
２２　　角部
２３　　空間部
２５　　補助フィルター
２５Ａ　補助フィルター
【図１】
2004041954.tif 000003
【図２】
2004041954.tif 000004
【図３】
2004041954.tif 000005
【図４】
2004041954.tif 000006
【図５】
2004041954.tif 000007
【図６】
2004041954.tif 000008
【図７】
2004041954.tif 000009
【図８】
2004041954.tif 000010
【図９】
2004041954.tif 000011
【図１０】
2004041954.tif 000012
【図１１】
2004041954.tif 000013
【図１２】
2004041954.tif 000014